(57)【特許請求の範囲】
【請求項１】
荷物を載置可能な上水平面を有し、その上水平面の下方に、昇降するフォークリフトの左右一対の爪がそれぞれ側面から水平に差込まれる爪差込部が２つ形成され、フォークリフトの爪の昇降により持ち上げられ又は降ろされるパレットであって、
前記上水平面には、前記フォークリフトの爪を側面から水平に差込可能としかつ前記差込部の差込方向に平行する溝が形成され、その溝の深さはフォークリフトの爪の高さよりも深く、かつ溝幅は爪の幅よりも広く、側面から水平に差込まれた上水平面の位置より低い位置にある爪を、上水平面の位置より高い位置に上昇可能にして、載置された荷物のみを上水平面から分離して持ち上げ可能にし、しかも、前記爪差込部と前記溝とを隔壁を隔てて隣接配置し、その隔壁の一部に前記フォークリフトの爪が差込まれた状態でそれらの爪が、前記差込方向に直角な左右方向に移動することによって、前記爪差込部から前記溝にあるいは逆に前記溝から前記爪差込部に自在に貫通しうる開口部が形成されていることを特徴とするパレット。
【請求項２】
前記上水平面を形成する上板は、下板とその下板上面に垂直に配置された数本の桁間に、前記左右いずれか一方の端部が前記桁から突設した自由端となるようにして張られ、その自由端により前記隔壁が形成されるとともに、
前記爪差込部は、前記突設した自由端の部分と前記下板との間に形成され、前記溝は、前記上板が張られていない部分に形成されてなることを特徴とする請求項１に記載のパレット。
【請求項３】
前記上板の自由端には、前記パレット持上げ時の前記フォークリフトの爪の抜け防止用に、下向きの突起が突設されていることを特徴とする請求項２に記載のパレット。
【発明の詳細な説明】
【０００１】
【発明の属する技術分野】
本発明は、差込まれたフォークリフトの爪によって持上げられ、載置された荷物が運搬されるよう構成されたパレットに関する。
【０００２】
【従来の技術】
従来、差込まれたフォークリフトの爪によって持上げられ、載置された荷物が運搬されるよう構成されたパレットとして、例えば、図１６、図１７に示すように、間隔を開けて平行に並べられた、複数本の長方形断面の木製の桁１の上面に、複数枚のデッキボードと称する木製の上板３が張られ、荷物Ｃが載置される上水平面ＵＨが形成され、桁１，１と上板３とで囲まれた部分に、フォークリフトの１対の爪の差込部Ｉが形成されたものが知られている。なお、図１７は、桁１の下面に木製の下板２が張られたものを示している。
【０００３】
しかしながら、上記パレットには、次の欠点がある。
（ア）フォークリフトで荷物Ｃだけで降ろすことは出来ない。
パレットの上水平面ＵＨの上に載置された荷物Ｃは、フォークリフトの爪を荷物Ｃの下面とパレットの上水平面ＵＨと間に差込んで、フォークリフトで降ろそうとしても、一般には、その間に爪の差込可能な隙間がなく、荷物Ｃだけを降ろすことが出来ないという欠点がある。
従って荷物Ｃは別の手段によって降ろすしか方法がなく、しかも全ての荷物Ｃが降ろされ、パレットの上に荷物がなくなるまでは、パレットだけを移動回収しようとしても、移動することは出来ない。
【０００４】
例えば、壁材として使用されるプラスターボードを極めて短い距離運搬する場合、直接フォークリフトで積み降ろしが可能である。しかし、トラック等を必要とする長距離輸送となると、折損等の防止のため一般にパレットに載置される。この場合も、運搬先で、フォークリフトの爪をプラスターボードの下面とパレットの上面と間に差込んで、フォークリフトで降ろそうとしても、その間に爪の差込可能な隙間がなく、プラスターボードだけを降ろすことが出来ない。
従って、プラスターボードは別の手段によって降ろすしか方法がなく、しかも全てのプラスターボードが降ろされ、パレットの上にプラスターボードがなくなるまでは、パレットだけを回収しようとしても、回収することは出来ない。そのため、パレットは、運搬先に残されたままとなって、場所を取り、後日パレットを回収するために再度来なければならない。
【０００５】
（イ）載置された荷物のバンド掛け、荷物に掛けられたバンド外しのいずれも困難か、又は出来ない。
下面が平面的でパレットとの隙間が殆どない一般的な荷物Ｃは、パレット上水平面ＵＨと荷物Ｃとの間にバンドを通すことが出来ないため、荷物Ｃへのバンド掛けが困難又は不可能である。同様に荷物にのみ掛けられたバンドは、鋏等で切断は可能であるが、引抜き、外すことは困難か、又は不可能である。特に金属製バンドは、切断したままでは、鋭利な切断部が突出し、作業上危険であるので、取去る必要があるが、取去ろうとして素手で引っ張ったりすると、負傷することがあり、却って危険である。
【０００６】
なお、パレットとして、木製のものだけでなく、プラスチック製・金属製のものがあるが、いずれも平らな上面を持っているため上記欠点を有する。
【０００７】
【発明が解決しようとする課題】
そこで本発明の目的とするところは、上記従来のパレットの２つの欠点を解消した、フォークリフトを利用して荷物だけを降ろすことが出来、しかもバンド掛け・バンド外しのいずれも容易なパレットを提供することにある。
【０００８】
【課題を解決するための手段】
上記の目的を達するために、請求項１の発明のパレットは、荷物（Ｃ）を載置可能な上水平面（ＵＨ）を有し、その上水平面（ＵＨ）の下方に、昇降するフォークリフトの左右一対の爪（Ｆ）がそれぞれ側面から水平に差込まれる爪差込部（Ｉ）が２つ形成され、フォークリフトの爪（Ｆ）の昇降により持ち上げられ又は降ろされるパレットであって、
前記上水平面（ＵＨ）には、前記フォークリフトの爪（Ｆ）を側面から水平に差込可能としかつ前記差込部（Ｉ）の差込方向に平行する溝（Ｇ）が形成され、その溝（Ｇ）の深さはフォークリフトの爪（Ｆ）の高さよりも深く、かつ溝幅は爪（Ｆ）の幅よりも広く、側面から水平に差込まれた上水平面（ＵＨ）の位置より低い位置にある爪（Ｆ）を、上水平面（ＵＨ）の位置より高い位置に上昇可能にして、載置された荷物（Ｃ）のみを上水平面（ＵＨ）から分離して持ち上げ可能にし、しかも、前記爪差込部（Ｉ）と前記溝（Ｇ）とを隔壁を隔てて隣接配置し、その隔壁の一部に前記フォークリフトの爪（Ｆ）が差込まれた状態でそれらの爪（Ｆ）が、前記差込方向に直角な左右方向に移動することによって、前記爪差込部（Ｉ）から前記溝（Ｇ）にあるいは逆に前記溝（Ｇ）から前記爪差込部（Ｉ）に自在に貫通しうる開口部（Ｏ）が形成されていることを特徴とするものである。
【０００９】
請求項２の発明は、請求項１の発明に記載の構成に加えて、前記上水平面（ＵＨ）を形成する上板（３４）は、下板（２５）とその下板（２５）上面に垂直に配置された数本の桁（１６）間に、前記左右いずれか一方の端部が前記桁（１６）から突設した自由端となるようにして張られ、その自由端により前記隔壁が形成されるとともに、
前記爪差込部（Ｉ）は、前記突設した自由端の部分と下板（２５）との間に形成され、前記溝（Ｇ）は、前記上板（３４）が張られていない部分に形成されてなることを特徴とするものである。
【００１０】
請求項３の発明は、請求項２の発明に記載の構成に加えて、前記上板（３４）の自由端には前記パレット持上げ時の前記フォークリフトの爪（Ｆ）の抜け防止用に、下向きの突起（Ｐ）が突設されていることを特徴とするものである。
【００１１】
なお、上記の括弧内の記号は図面及び後述する発明の実施の形態に記載された記号に対応するものである。
【００１２】
請求項１の発明によれば、溝に差込まれたフォークリフトの爪は、上水平面の位置より低い位置から上水平面を越えて高い位置にまで自在に上昇可能であるため、パレットに載置された荷物は、下面が平らであっても、その下にフォークリフトの爪を差込むことは容易で、しかも爪の昇降により荷物のみをパレットと分離して持ち上げることができる。このように、運搬時に、目的地で荷物のみをフォークリフトで持ち上げ、運び、降ろすことが出来るため、パレットを持ち帰ることが出来、後でパレットを回収に来る手間も必要はない。
加えて、爪差込部と溝との爪の差替えを行う必要がないので、フォークリフトを進退させることがない。よって、フォークリフトの爪が差込まれた状態で僅かに左右・上下に移動するだけで、荷物の載置されたパレットの運搬・荷物のみの積み降ろしが、同一のフォークリフトにより実施可能となる。
【００１３】
また、溝には、爪だけでなく、バンドも差込み、通すことが出来るため、パレットに載置された、下面が平らな荷物に対しても、溝にバンドを通すことによって、荷物のみへのバンド掛けが容易に出来る。また、以上のようにして、荷物にのみ掛けられたバンドは、荷物とパレットとに拘束されておらず、切断すれば、溝を通して容易に引抜き、外すことが出来る。特に切断したままでは、鋭利な切断部が突出し、作業上危険性のある金属製バンドも、切断し、引っ張れば、力も要らず容易に取去ることが出来る。
【００１４】
請求項２によれば、請求項１の発明の爪差込部を、突設した自由端の部分と下板との間に形成し、また請求項１の発明の溝を、上板が張られていない部分に形成するものである。
【００１５】
請求項３によれば、上板の自由端には下向きの突起が突設されているので、パレット持上げ時にフォークリフトの爪が抜けることが防止される。
【００１６】
【発明の実施の形態】
本発明の実施の形態例について図面を参考にして説明する。
図１は本発明の第１の実施の形態例に係わるパレットを示す斜視図、図２は図１のものに荷物が載置された状態を示す断面図、図３は図２のものの、フォークリフトの爪が溝にある状態を示す断面図、図４は図１のものの、フォークリフトの爪が爪差込部に差込まれた状態を示す断面図、図５は図２のものにバンドが掛けられた状態を示す断面図、及び図６は図５のものの、バンドの一部が切断された状態を示す断面図である。
【００１７】
本発明の実施の形態例に係わるパレットは、荷物Ｃを載置可能な上水平面ＵＨを有し、その上水平面ＵＨの下方に、昇降するフォークリフトの爪Ｆが側面から水平に差込まれる爪差込部Ｉが形成され、フォークリフトの爪Ｆの昇降により持ち上げられ又は降ろされるものに、さらに次の構成が付加されたものである。
【００１８】
すなわち、上水平面ＵＨには、フォークリフトの爪Ｆを側面から水平に差込可能としかつ差込部Ｉの差込方向に平行する溝Ｇ，Ｇが形成されている。その溝Ｇの深さ、つまり爪Ｆの昇降方向（図３の上下方向）の深さはフォークリフトの爪Ｆの高さよりも深く、かつ溝Ｇの幅、つまり爪Ｆの隣接する１対の爪Ｆが位置する水平の横方向（図３の左右方向）の幅は爪Ｆの幅よりも広く、これにより、側面から水平に差込まれた上水平面ＵＨの位置より低い位置にある爪Ｆ、上水平面ＵＨの位置より高い位置に上昇可能にして、載置された荷物Ｃのみを上水平面ＵＨから分離して持ち上げ可能に構成されている。
【００１９】
さらに詳細に説明すると、図１及び図２に示すように、隙間なく、又は僅かに隙間を開けて並べられた複数枚の木製の下板２１の上面に垂直に、複数本の長方形断面の木製の桁１１が平行に並べられ、釘等（図示省略）で固定されている。図では、下板２１の両端にそれぞれ桁１１，１１が配置されると共に、下板２１の長さの中点を挟んで、両側にそれぞれ一対の桁１１，１１が配置されている。その中央部の各対の桁１１，１１は、フォークリフトの爪Ｆ，Ｆが差込可能な間隔に配置されており、さらに相対する一対の桁１１，１１の間に設けられた木製板状の隔壁ＨＰによって、桁１１，１１の間の空間が上下に二分され、それぞれ下方に爪差込部Ｉ、上方に溝Ｇが配置されている。そのうえ、各対の内側の桁１１，１１の間及び外側の桁１１と下板２１の各端の桁１１との間には上板３１がそれぞれ張られ、釘等（図示省略）で固定されることにより、上水平面（ＵＨ）が形成されている。
【００２０】
作用について説明すると、パレットに載置された荷物Ｃは、下面が平らであっても、図３に示すように、直線状で互いに平行に形成された溝Ｇ，Ｇに差込まれた爪Ｆ，Ｆを、上水平面ＵＨを越えて鉛直方向上側に持上げ可能であるため、載置された荷物Ｃのみをパレットと分離して持ち上げ可能である。従って運搬時に、目的地で荷物Ｃのみをフォークリフトで持ち上げ、降ろす場所まで運ぶことが出来るため、パレットを持帰ることが出来、後でパレットを回収に来る手間も必要ない。
【００２１】
そのうえ、図３及び図４に示すように、各爪差込部Ｉの直上に隔壁ＨＰを隔てて溝Ｇが配置されているため、各爪差込部Ｉと対応する溝Ｇとの間の爪Ｆの差替えが、フォークリフトの進退と爪Ｆの僅かな昇降のみで行われ、荷物Ｃの載置されたパレットの運搬だけでなく、荷物Ｃのみの積み降ろしが、同一のフォークリフトにより実施可能となり、作業性に優れており、極めて便利である。
【００２２】
なお、特に上記荷物Ｃの積み降ろし等の必要がなければ、パレットを裏返して（図示省略）、下板２１が張られた面を上面として、荷物Ｃを載置することも可能である。
【００２３】
また、各溝Ｇには、爪Ｆだけでなく、図５及び図６に示すように、バンドＢも差込み、通すことが出来るため、パレットに載置された、下面が平らな荷物Ｃに対して、溝ＧにバンドＢを通すことによって、荷物Ｃのみへのバンド掛けが容易に出来る。また、以上のようにして、荷物Ｃにのみ掛けられたバンドＢは、荷物Ｃによってパレットに拘束されておらず、鋏等で切断すれば、容易に引抜き、外すことが出来る。特に切断したままでは、鋭利な切断部が突出し、作業上危険性のある金属製バンドも、切断し、引っ張れば、力も要らず容易に取去ることが出来る。
【００２４】
次に、第２の実施の形態例について図７及び図８により説明すると、第１の実施の形態例の中央部のそれぞれ桁１１，１１間に設けられた隔壁ＨＰが省略され、各桁１１，１１の間の全高さが溝Ｇとして機能し、且つ各上板３１の下方空間が爪差込部Ｉとして機能するよう構成されている。
【００２５】
作用について説明すると、載置された荷物のみをパレットと分離して持ち上げるに当たっては、深くなった直線状の溝Ｇに差込まれたフォークリフトの爪Ｆを、上記第１の実施の形態例同様に、上水平面ＵＨを越えて持上げればよい。
それに対して、第１の実施の形態例とは異なり、各爪差込部Ｉと溝Ｇとの爪Ｆの差替えに当たっては、フォークリフトを後退させて、一旦爪Ｆを抜出したうえ、爪Ｆを左右に移動させ、再度フォークリフトを前進させ、爪Ｆを差込むことになる。また、上水平面ＵＨの上に載置された荷物Ｃの重量は、図８に示すように、爪Ｆ，Ｆで支えられた上板３１，３１が受けることになり、強度の面では隔壁ＨＰを有した第１の実施の形態例の場合の方が強い。
【００２６】
第３の実施の形態例について図９により説明すると、平行に並べられた複数本の背の低い桁１２を挟んで上下両側に、それぞれ隙間なく、又は僅かに隙間を開けて並べられた複数枚の木製の下板２２、中板４２が張られ、釘等（図示省略）で固定されている。また、板２２，４２の両端にそれぞれ桁１２，１２が配置されると共に、中央部に左右一対の爪差込部Ｉ，Ｉが形成されるよう、板２２，４２の長さの中点に１本及びその外側に中点を対称に２本、計３本の桁１２が配置されている（総計５本）。
【００２７】
中板４２の上には、各桁１２の直上に、それぞれ背の低い桁１３が固定され、さらに、左右各側の隣接する外側の桁１３，１３の間には上板３２がそれぞれ張られると共に、中央の桁１３の上面には、対称に荷物を受けるための短板Ｓが釘等（図示省略）で固定されている。それによって、上板３２，３２と短板Ｓとにより上水平面ＵＨが形成されると共に、中央部の上記各爪差込部Ｉ，Ｉの直上には、中板４２である隔壁ＨＰを隔てて、短板Ｓによって一部閉じられた左右一対の溝Ｇ，Ｇが形成される。
【００２８】
作用は、基本的には第１，２の実施の形態例のそれと同一であるが、上水平面ＵＨの上に載置された荷物の重量は全ての桁１２を介して中板４２が受けることになるため、第１の実施の形態例の桁１１と隔壁ＨＰとの接合部のみで受けるのに比較して、荷重の配分が分散されており、強度上優れている。
【００２９】
第４の実施の形態例は、図１０に示すように、第３の実施の形態例の簡略型であって、中央の桁１３とその上に設けられた短板Ｓとが省略されており、作用効果は第２の実施の形態例のそれに略等しい。
【００３０】
第５の実施の形態例について図１１により説明すると、平行に並べられた複数本の背の低い桁１４を挟んで上下両側に、それぞれ隙間なく、又は僅かに隙間を開けて並べられた複数枚の木製の下板２３、中板４３が垂直に張られ、釘等（図示省略）で固定されている。また、板２３，４３の両端にそれぞれ桁１４，１４が配置されると共に、中央部に左右一対の爪差込部Ｉ，Ｉが形成されるよう、中点の両側に対称に、４本の桁１４が配置されている。
【００３１】
中板４３の上には、各桁１４の直上に、それぞれ背の低い桁１５が固定され、さらに、左右各側の隣接する外側の桁１５，１５の間には上板３３がそれぞれ張られると共に、中央の隣接する桁１５，１５の上面にも、上板３３が張られ、釘等（図示省略）で固定されている。それによって、上板３３により上水平面ＵＨが形成されると共に、中央部の上記各爪差込部Ｉ，Ｉの直上には、中板４３である隔壁ＨＰを隔てて、左右一対の溝Ｇ，Ｇが形成される。作用効果は、第３の実施の形態例のそれと同一である。
【００３２】
第６の実施の形態例は、第５の実施の形態例の変型であって、図１２に示すように、その下板２３の代わりに、上板３３同様に、左右各側の隣接する外側の桁１４，１４の間には下板２４がそれぞれ張られると共に、中央の隣接する桁１４，１４の下面にも、下板２４が張られたものである。従って、中央部の左右一対の爪差込部Ｉ，Ｉは下方が開口し、上下対称になっているため、裏返せば、対応する溝Ｇと爪差込部Ｉとが入れ替わり、裏表を区別することなく使用可能である。
【００３３】
第７の実施の形態例について図１３及び図１４により説明すると、隙間なく、又は僅かに隙間を開けて並べられた複数枚の木製の下板２５の上面に垂直に、複数本の長方形断面の木製の桁１６が平行に並べられ、釘等（図示省略）で固定されている。図では、下板２５の両端にそれぞれ桁１６，１６が配置されると共に、下板２５のその内側の上面中間に偶数本（図では４本）の１６，１６が配置されている。
【００３４】
さらにその桁１６のうち、中央部の２つの桁１６（図１３の左から３番目と４番目の桁１６）間の上端面と残りの端側の２つの桁１６（図１３の左から１番目と２番目の桁１６，及び左から５番目と６番目の桁１６）間の上端面に、複数枚の上板３４が張られ、釘等（図示省略）で固定され、上水平面ＵＨが形成されている。これにより、上水平面ＵＨの上板３４が張られていない部分には第１の実施の形態例で記載したと同様のフォークリフトの爪Ｆを側面から水平に差込可能としかつ後述する差込部Ｉの差込方向に平行する２つの溝Ｇ、Ｇが形成される。
【００３５】
このとき、図１３の左から３番目と４番目の桁１６の上端面に張られた上板３４と同じく左から５番目と６番目の桁１６の上端面に張られた上板３４については、上板３４の幅が２つの桁１６の間隔よりも広いものを使用し、上板３４の端部が桁１６より突設した状態で張られている。すなわち、図１３の左から３番目と４番目の桁１６の上端面に張られた上板３４は３番目の桁１６から２番目の桁１６側に突設した自由端となり、左から５番目と６番目の桁１６の上端面に張られた上板３４は５番目の桁１６から４番目の桁１６側に突設した自由端になっている。
これにより、突設した部分と下板２５との間に、左右一対の爪Ｆ，Ｆの差込可能な爪差込部Ｉ，Ｉが形成されると共に、その爪差込部Ｉ，Ｉと溝Ｇ、Ｇとの間にはフォークリフトの２つの爪Ｆ，Ｆが差込まれた状態で自在に出入りすることができる開口部Ｏ，Ｏが形成されている。すなわち、上述した上板３４の突設した部分は爪差込部Ｉ，Ｉと溝Ｇ，Ｇとを隣接した状態で隔てる隔壁の役割を果たし、開口部の部分はその一部を取り除いた部分で、フォークリフトの爪Ｆ，Ｆが爪差込部Ｉ，Ｉから溝Ｇ，Ｇ、あるいは逆に溝Ｇ，Ｇから爪差込部Ｉ，Ｉに自在に貫通しうるようにしたものである。
【００３６】
以上の構成が機能するためには、例えば、図１３に示すように、中央部の隣接する一対の桁１６，１６（左から３番目，４番目）が、爪差込部Ｉ，Ｉにそれぞれ差込まれた２つの爪Ｆ，Ｆの間に入ると共に、その２つの爪Ｆ，Ｆの一方（左側）の内側の面が、それに近い側の桁１６（左から３番目）の外面と接触した状態で、他方の爪Ｆ（右側）の外面が、その爪Ｆの外側に配置される桁１６（左から５番目）の外面を越えないよう、残りの桁１６が配置される必要がある。
なお、図に示すように、上板３４の自由端には、パレット持上げ時の爪の抜け防止用に下向きの突起Ｐが突設されているが、本発明の基本構成に基づくものであれば、上記構成に限定されるものではない。
【００３７】
作用について説明すると、パレットは、各爪差込部Ｉに差込まれた爪Ｆによって、上板３４の自由端側の部分を介して持上げ可能であり、しかも載置された荷物Ｃは、下面が平らであっても、各爪差込部Ｉに差込まれた爪Ｆを開口部Ｏを介して僅かに水平に移動し、溝Ｇから上水平面ＵＨを越えて持ち上げることによって、載置された荷物Ｃのみをパレットと分離して持ち上げ可能である。つまり、爪Ｆを僅かに左右上下に移動するだけで、パレツトの持上げと載置された荷物Ｃのみの持上げとの切替えが可能であり、爪の差替えのためのフォークリフトの進退を必要しない。
【００３８】
また各爪差込部Ｉは、図示されないが、爪Ｆだけでなく、バンドも差込み可能であり、さらに溝Ｇはバンドを通すことが出来るため、パレットに載置された、下面が平らな荷物Ｃのみへのバンド掛けも、荷物にのみ掛けられたバンドの切断・取り外しも容易に可能である。
【００３９】
第８の実施の形態例は、図１５に示すように、第７の実施の形態例の変型であって、その桁１６の代わりにそれよりも低い桁１７をしたものに、下板２５の下面に、前記各桁１７の直下に配置された低い桁１８の下面に、下板２５と同じ底板２６が張られたものであって、作用効果は、下板２５と底板２６との間が爪の差込部として使用可能である他、第７の実施の形態例と略同等である。
なお、載置された荷物の重量は全ての桁１８を介して下板２５が受けることになるため、第７の実施の形態例の場合と比較して、荷重の配分が分散されており、強度上優れている。
【００４０】
なお、本発明のパレットとして、木製のものだけでなく、プラスチック製・金属製のものも含まれる。
【００４１】
【発明の効果】
請求項１の発明によれば、載置された荷物のみをパレットと分離して持ち上げ可能である。従って運搬時に、目的地で荷物のみをフォークリフトで持ち上げ、運び、降ろすことが出来るため、パレットを持ち帰ることが出来、後でパレットを回収に来る手間も必要はない。
加えて、爪差込部と溝との爪の差替えを行う必要がないので、フォークリフトを進退させることがない。よって、フォークリフトの爪が差込まれた状態で僅かに左右・上下に移動するだけで、荷物の載置されたパレットの運搬・荷物のみの積み降ろしが、同一のフォークリフトにより実施可能となる。
【００４２】
また、パレットに載置された荷物のみへのバンド掛けが容易に出来る。さらに、以上のようにして、荷物にのみ掛けられたバンドは、荷物とパレットとに拘束されておらず、切断すれば、溝を通して容易に引抜き、外すことが出来る。
【００４３】
請求項２の発明によれば、請求項１の発明の爪差込部を、突設した自由端の部分と下板との間に形成し、また請求項１の発明の溝を、上板が張られていない部分に形成するものである。
【００４４】
請求項３の発明によれば、上板の自由端には下向きの突起が突設されているので、パレット持上げ時にフォークリフトの爪が抜けることが防止される。
【図面の簡単な説明】
【図１】本発明の第１の実施の形態例に係わるパレットを示す斜視図である。
【図２】図１に示すパレットに荷物が載置された状態を示す断面図である。
【図３】図１に示すパレットに形成された溝に、爪が差込まれた状態を示す断面図である。
【図４】図１に示すパレットに形成された爪差込部、爪が差込まれた状態を示す断面図である。
【図５】図２に示す荷物にバンドが掛けられた状態を示す断面図である。
【図６】図５に示すバンドの一部が切断された状態を示す断面図である。
【図７】本発明の第２の実施の形態例に係わるパレットを示す斜視図である。
【図８】図７に示すパレットに荷物が載置され、且つ爪差込部に爪が差込まれた状態を示す断面図である。
【図９】本発明の第３の実施の形態例に係わるパレットを示す断面図である。
【図１０】本発明の第４の実施の形態例に係わるパレットを示す断面図である。
【図１１】本発明の第５の実施の形態例に係わるパレットを示す斜視図である。
【図１２】本発明の第６の実施の形態例に係わるパレットを示す断面図である。
【図１３】本発明の第７の実施の形態例に係わるパレットに荷物が載置され、且つ爪差込部に爪が差込まれた状態を示す断面図である。
【図１４】図１３に示す溝に爪が移動した状態を示す断面図である。
【図１５】本発明の第８の実施の形態例に係わるパレットを示す断面図である。
【図１６】従来例を示す斜視図である。
【図１７】２番目の従来例を示す断面図である。
【符号の説明】
１          桁
２          下板
３          上板
１１        桁
１２        桁
１３        桁
１４        桁
１５        桁
１６        桁
１７        桁
１８        桁
２１        下板
２２        下板
２３        下板
２４        下板
２５        下板
２６        底板
３１        上板
３２        上板
３３        上板
３４        上板
４２        中板
４３        中板
Ｂ          バンド
Ｃ          荷物
Ｆ          爪
Ｇ          溝
ＨＰ        隔壁
Ｉ          爪差込部
Ｏ          開口部
Ｐ          突起
Ｓ          短板
ＵＨ        上水平面
【図１】
0004144673.tif 000002
【図２】
0004144673.tif 000003
【図３】
0004144673.tif 000004
【図４】
0004144673.tif 000005
【図５】
0004144673.tif 000006
【図６】
0004144673.tif 000007
【図７】
0004144673.tif 000008
【図８】
0004144673.tif 000009
【図９】
0004144673.tif 000010
【図１０】
0004144673.tif 000011
【図１１】
0004144673.tif 000012
【図１２】
0004144673.tif 000013
【図１３】
0004144673.tif 000014
【図１４】
0004144673.tif 000015
【図１５】
0004144673.tif 000016
【図１６】
0004144673.tif 000017
【図１７】
0004144673.tif 000018